(57)【要約】      （修正有）【課題】昇降させるのに余分な操作を必要とせず、簡素な構造で、不意に落下することのないベビーベッドの昇降柵の支持装置を提供する。【解決手段】ベビーベッドは、マットの四方を柵で囲い、側面の一つを上下に分割して、上側を昇降可能な昇降柵としている。この昇降柵５は、一般に、上昇位置で保持するため、その縦枠材５ａにバネ１３により外方へ付勢された係止ロッド１０を貫通させて設けるとともに、係止ロッド１０が嵌挿する横穴２ｃを隣接する柵（前柵１および後柵２）の縦部材２ａに設けている。本考案は、縦枠材５ａと縦部材１ａ，２ａとの間隔が所定の値以上にならないように規制するため、縦部材１ａ，２ａに貫通した縦溝を設けるとともに、縦溝を貫通させて係止する連結部材２０を縦枠材５ａに固設したものである。【選択図】図４
0003115365.tif 000002
【実用新案登録請求の範囲】
【請求項１】
マットの四方を囲む柵の一方の側面を上下に分割して上側を昇降可能な昇降柵とし、該昇降柵の左右端の縦枠材にバネで外方へ付勢した係止ロッドをそれぞれ貫通して設けるとともに、該縦枠材と隣接する柵の縦部材それぞれに該係止ロッドが嵌挿する横穴を設け、該昇降柵を上昇させた位置で該縦部材に支持させるようにしたベビーベッドの昇降柵の支持装置において、該縦枠材と該縦部材との間隔が所定の値以上にならないように規制するため、該縦部材に貫通した縦溝を設けるとともに、該縦溝を貫通させて係止する連結部材を該縦枠材に固設したことを特徴とするベビーベッドの昇降柵の支持装置。
【請求項２】
前記昇降柵の縦枠材に前記縦部材側へ突出する案内部材を付設し、前記縦部材に該案内部材と嵌合する案内溝を設け、前記貫通した縦溝を該案内溝より狭いものとして案内溝内に設けたことを特徴とする請求項１記載のベビーベッドの昇降柵の支持装置。
【請求項３】
前記連結部材は、端部に雄ネジを備えたネジピンと、該雄ネジが捩じ込まれる雌ネジを有する頭付ナットとからなり、該雌ネジ部は前記縦枠材内に埋設したことを特徴とする請求項１記載のベビーベッドの昇降柵の支持装置。
【考案の詳細な説明】
【技術分野】
【０００１】
本考案はマットの四方を柵で囲い、一方の側面の柵を上下に分割し、上側を昇降可能な昇降柵としたベビーベッドに係り、特に昇降柵の支持装置に関するものである。
【背景技術】
【０００２】
図１に示すように、床からある高さに矩形状のマット７を設け、四方を木製の柵で囲ったベビーベッドが広く使用されている。このベビーベッドは、乳児の世話がしやすいように、一方の側の柵（側柵３）を上下に分割し、上側を昇降可能な昇降柵５にするのが一般的である。
昇降柵５には、図２に示すように、昇降柵５の左右端の縦枠材５ａの上部位置にバネ１３で外方へ付勢した係止ロッド１０が設けられており、隣接する前柵１および後柵２の縦部材１ａ，２ａに設けた横穴２ｃに嵌挿させることによって支持されている。なお、図２は見やすくするため後柵２側のみを示している。また、２ｂは、昇降柵５に設けた案内部材が嵌合して昇降柵５の昇降を案内するための案内溝である。
この昇降柵５を下降させるときは、左右の係止ロッド１０の摘み１１を内側に引っ張り、ロッド部１２を横穴２ｃから離脱させる。
【０００３】
このように構成されたベビーベッドでは、柵が前柵１、側柵３および後柵２でコ字状に形成されているので、前柵１や後柵２の昇降柵５寄りが外方へ強く押されると、昇降柵５との間に隙間ができ、係止ロッド１０のロッド部１２が横穴２ｃから外れて昇降柵５が落下する危険性がある。そこで、これを防止するため、昇降柵を持ち上げなければ、係止ロッドを内側へ引き込むことができないようにしたものがある（例えば、特許文献１）。
【０００４】
【特許文献１】特開２００４−３４４２０８号  公報
【考案の開示】
【考案が解決しようとする課題】
【０００５】
特許文献１の昇降柵の支持装置は、係止ロッドの外端に下向きの係止部を設けるとともに、隣接する柵に該係止部が嵌合する上方に開口したロック溝を形成しており、隣接する柵が外方へ押されても、係止部がロック溝から外れないので、昇降柵が不意に落下することを防止できる。
しかしながら、この支持装置では、昇降柵を下降させるときは、係止ロッドの係止部がロック溝から左右共外れるように昇降柵を持ち上げ、この状態で左右両方の摘みを内側へ引き込むという動作が必要であり、操作が面倒である。また、係止部とロック溝の係脱が確実でスムーズに行えるようにするには、部品や組立てを高精度に作る必要があり、製作費が嵩むという難点がある。さらに、昇降柵を上昇させた位置では、上方へはフリーの状態であるので、昇降柵に触るとガタつくという欠点もある。
【０００６】
そこで、本考案は、昇降させるのに余分な操作を必要とせず、簡素な構造で、不意に落下することのないベビーベッドの昇降柵の支持装置を提供することを目的としている。
【課題を解決するための手段】
【０００７】
上記の目的を達成するため、本考案に係るベビーベッドの昇降柵は、次の手段を採った。すなわち、マットの四方を囲む柵の一方の側面を上下に分割して上側を昇降可能な昇降柵とし、該昇降柵の左右端の縦枠材にバネで外方へ付勢した係止ロッドをそれぞれ貫通して設けるとともに、該縦枠材と隣接する柵の縦部材それぞれに該係止ロッドが嵌挿する横穴を設け、該昇降柵を上昇させた位置で該縦部材に支持させるようにしたベビーベッドの昇降柵の支持装置において、該縦枠材と該縦部材との間隔が所定の値以上にならないように規制するため、該縦部材に貫通した縦溝を設けるとともに、該縦溝を貫通させて係止する連結部材を該縦枠材に固設したことを特徴としている。
【０００８】
連結部材は、できるだけ係止ロッドに近い位置に設けるとよい。なお、係止ロッドより上方に設けてもよい。
昇降柵が垂直に昇降するように、昇降柵の両端の縦枠材と隣接する柵の縦部材に案内手段を設けるが、その構造はとくに問わない。また、案内手段は、連結部材とこれが貫通する縦溝と関係なく設けてもよいが、請求項２に記載のように、昇降柵の縦枠材に縦部材側へ突出する案内部材を付設し、縦部材に案内部材と嵌合する案内溝を設け、貫通した縦溝を案内溝より狭いものとして案内溝内に設けるのが望ましい。
【０００９】
連結部材は、昇降柵の縦枠材と隣接する柵の縦部材との間隔を係止ロッドが横穴から外れるほど大きくならないように規制するためのもので、狭まる側には移動可能である。
連結部材は、縦溝を貫通させて係止して縦枠材と該縦部材との間隔を所定の値以上にならないようにできるものであれば、その構成は特に問わないが、請求項３に記載のように、端部に雄ネジを備えたネジピンと、雄ネジが捩じ込まれる雌ネジを有する頭付ナットとで構成し、雌ネジ部は前記縦枠材内に埋設するのが望ましい。なお、上記の所定の値は、係止ロッドが少なくとも横穴から外れることのない寸法であり、横穴の深さによって決めればよい。
【考案の効果】
【００１０】
上記のように、本考案のベビーベッドの昇降柵は、縦枠材と縦部材との間隔が所定の値以上にならないように規制するため、縦部材に貫通した縦溝を設けるとともに、縦溝を貫通させて係止する連結部材を縦枠材に固設したので、前柵や後柵が外方へ強く押されることがあっても、前柵および後柵と、昇降柵との間の隙間が大きくなることがない。したがって、昇降柵が落下することがない。
また、昇降柵を下降させる場合は、従来と全く同じく左右の摘みを引くだけでよく、昇降柵を持ち上げるなど格別な操作を必要としないので、簡便である。さらに、構造が簡素で複雑な加工を必要としないので、安価に製造できる。
【００１１】
また、昇降柵の縦枠材に縦部材側へ突出する案内部材を付設し、縦部材に案内部材と嵌合する案内溝を設け、貫通した縦溝を案内溝より狭いものとして案内溝内に設け（請求項２）れば、加工が簡単で、僅かな加工を施すだけで、既に使用されているベビーベッドにも適用できる。
さらに、連結部材は、端部に雄ネジを備えたネジピンと、雄ネジが捩じ込まれる雌ネジを有する頭付ナットからなり、雌ネジ部は縦枠材内に埋設すれば（請求項３）、コンパクトにまとまり、部材が柵から突出することがないので、安全である。
【考案を実施するための最良の形態】
【００１２】
以下、本考案のベビーベッドの昇降柵の支持装置の実施の形態について、図面に基づいて説明する。
ベビーベッドの全体構成は、上記の従来技術で説明したものと同じである。すなわち、図１に示すように、頭側の前柵１と足側の後柵２と左右の側柵３で、四方を囲み、中にマット７が固定されている。そして、側柵３の一方（図１で手前側）は、上下に分割し、下側は固定柵４、上側を昇降可能な昇降柵５としている。なお、６は、キャスターであり、４ａは、マット７の下方に赤ちゃんの用具などを収納するときに使用する扉である。
【００１３】
昇降柵５は、固定柵４の外側にあり、前柵１と後柵２の手前側の縦部材１ａ，２ａに係合して昇降され、支持される。この構成は、昇降柵５の左右とも同じであるので、後柵２側で説明する。
昇降柵５の右端の縦枠材５ａの上部位置に貫通孔５ｂと貫通孔５ｄが穿設されており、図３に示すように、係止ロッド１０と連結部材２０がそれぞれ設けられている。そして、昇降柵５の縦枠材５ａの下端には案内部材５ｃが付設されている。
一方、昇降柵５と隣接する後柵２の縦部材２ａには、案内部材５ｃが嵌合する案内溝２ｂが縦方向に設けられており、その上端に横孔２ｃが設けられている。そして、案内溝２ｂの中程より上方へ縦部材２ａを貫通した縦溝２ｄが設けられている。
案内溝２ｂの下端は、昇降柵５を下降させたとき（図３（ａ）において２点鎖線で示す）にこれを支持するが、この位置は、昇降柵５の上端がマット７より若干上になるように設定している。また、縦溝２ｄの幅は、案内溝２ｂの半分程度にしている。
【００１４】
係止ロッド１０は図４に示すように、上記従来技術（図２）で説明したものと同じであり、摘み１１を備え、バネ１３が介装され、先端側にロッド１２を備えている。なお、貫通孔５ｂは、外側が大径の段付孔であり、バネ１３は大径の孔に位置し、左端は大径の孔の端面に、右端はロッド部１２の右端面に係止している。
【００１５】
連結部材２０は、六角頭を有し先端部に雄ネジが形成されたネジピン２１と、プラスドライバが使用できる頭を備えた頭付ナット２２と、ワッシャ２３とから構成されている。そして、頭付ナット２２にネジピン２１をねじ込んだときは、縦枠材５ａと縦部材２ａとは、一定の隙間（２〜５ｍｍ）以上には離間しないように規制される。なお、貫通孔５ｄは、内側が大径の段付孔であり、頭付ナット２２の雌ネジ部が縦枠材５ａ内に埋設されるようにしている。また、ワッシャ２３は、合成樹脂製のものを使用している。
【００１６】
このように構成されているので、昇降柵５が上昇させた位置にあるときは、係止ロッド１０のロッド部１２が、バネ１３に付勢されて横穴２ｃに嵌挿しており、縦部材１ａ，２ａに支持されている。そして、この状態で、前柵１や後柵２を外方へ強く押したとしても、連結部材２０によって縦枠材５ａと縦部材１ａ，２ａとが一定の値以上に離れることがないので、ロッド部１２が横穴２ｃから離脱することがない。したがって、昇降柵５は落下することがない。
【００１７】
昇降柵５を下降させるときは、摘み１１を掴んで引き込めば、ロッド部１２が横穴２ｃから外れるので、ゆっくり下降させればよい。このとき、昇降柵５の下端は案内部材５ｃが案内溝２ｂに嵌合し、上部は係止ロッド１０のロッド部１２が案内溝２ｂに嵌合するので、垂直に下降するように案内される。そして、連結部材２０は縦溝２ｄに沿って下降するが、このときも、縦枠材５ａと縦部材１ａ，２ａとが一定の値以上に離れることがないので、スムーズに下降する。なお、縦溝２ｄの幅は、案内溝２ｂの半分程度で、中心を一致させているので、摘み１１から手を離しても、ロッド部１２が縦溝２ｄへ挿通することはない。
【図面の簡単な説明】
【００１８】
【図１】本発明を実施したベビーベッドの斜視図である。
【図２】同  昇降柵の保持機構を示す断面図である。
【図３】同  （ａ）は昇降柵と隣接する後柵を示す正面図、（ｂ）はＡ−Ａ視図、（ｃ）は側面図である。
【図４】同  連結部材の詳細を示す断面図である。
【符号の説明】
【００１９】
１  前柵
１ａ  縦部材
２  後柵
２ａ  縦部材
２ｂ  案内溝
２ｃ  横穴
２ｄ  縦溝
３  側柵
４  固定柵
４ａ  扉
５  昇降柵
５ａ  縦枠材
５ｂ  貫通孔
５ｃ  案内部材
５ｄ  貫通孔
６  キャスター
７  マット
１０  係止ロッド
１１  摘み
１２  ロッド部
１３  バネ
２０  連結部材
２１  ネジピン
２２  頭付ナット
２３  ワッシャ
【図１】
0003115365.tif 000003
【図２】
0003115365.tif 000004
【図３】
0003115365.tif 000005
【図４】
0003115365.tif 000006